(57)【要約】【課題】  簡素な構造で、着用者にとって装着感および安定性の最も良い位置にパッド部材を合致させることができ、かつ、適度な圧力で側顔部に付勢してフィットさせることができるセミテンプル眼鏡におけるテンプルフィッティング構造を提供すること。【解決手段】  セミテンプルＳＴを、前記エンドピースＥに連結される棒状のテンプル基部１と、付勢アーム２とから構成し、この付勢アーム２を、弾性材料からなる板状部材にして、基端部21から脚部22・22を末広がりに分岐して松葉状に形成する一方、これらの脚部22・22の先端部23・23を互いに重ね合わせることにより各脚部22がそれぞれ弓形に撓曲して、かつ、この弓形姿勢に保持した状態で重なり合った先端部23にパッド部材３を止着する。【選択図】  図１
2010181446.tif 000002
【特許請求の範囲】
【請求項１】
左右一対のレンズＬ・Ｌを保持するフロントＦの側方に配設されたエンドピースＥの持出端部に、先端部分が着用者のこめかみ付近に達する長さのセミテンプルＳＴが配設されており、
このセミテンプルＳＴは、前記エンドピースＥに連結される棒状のテンプル基部１と、付勢アーム２とから構成されており、
この付勢アーム２は、弾性材料からなる板状部材であって、基端部21から脚部22・22が末広がりに分岐して松葉状に形成されている一方、
これらの脚部22・22の先端部23・23を互いに重ね合わせることにより各脚部22がそれぞれ弓形に撓曲して、かつ、この弓形姿勢に保持した状態で重なり合った先端部23にパッド部材３が止着されているとともに、
前記付勢アーム２の基端部21は前記テンプル基部１にヒンジ枢支されており、当該基端部21を枢軸にして脚部22を上下に揺動可能であって、
前記脚部22・22の弾性復元力によりフロント内側方向に付勢して、着用者の側顔部にホールド可能に構成したことを特徴とするセミテンプル眼鏡におけるテンプルフィッティング構造。
【請求項２】
付勢アーム２の先端部23にはそれぞれフック部23ａが形成され、これらのフック部23ａを重ね合わせた部分にパッド部材３裏面の凸部に係止したことを特徴とする請求項１記載のセミテンプル眼鏡におけるテンプルフィッティング構造。
【請求項３】
付勢アーム２の基端部21が、テンプル基部１の内側面においてヒンジ枢支されていることを特徴とする請求項１または２記載のセミテンプル眼鏡におけるテンプルフィッティング構造。
【請求項４】
付勢アーム２の基端部21にヒンジ孔21ａが設けられており、このヒンジ孔21ａがテンプル基部１の止着孔11に枢結されていることを特徴とする請求項１〜３の何れか一つに記載のセミテンプル眼鏡におけるテンプルフィッティング構造。
【請求項５】
テンプル基部１に付勢アーム２の基端部21をネジ部材により締め付けて、回転抵抗を付与したことを特徴とする請求項１〜４の何れか一つに記載のセミテンプル眼鏡におけるテンプルフィッティング構造。
【請求項６】
付勢アーム２の先端部23と、パッド部材３裏面とが自在継手により止着されていることを特徴とする請求項１〜５の何れか一つに記載のセミテンプル眼鏡におけるテンプルフィッティング構造。
【請求項７】
パッド部材３がタック性を有するシリコーン系樹脂で作製されていることを特徴とする請求項１〜６の何れか一つに記載のセミテンプル眼鏡におけるテンプルフィッティング構造。
【発明の詳細な説明】
【技術分野】
【０００１】
本発明は、セミテンプル眼鏡の改良、更に詳しくは、簡素な構造で、着用者にとって装着感および安定性の最も良い位置にパッド部材を合致させることができ、かつ、適度な圧力で側顔部に付勢してフィットさせることができるセミテンプル眼鏡におけるテンプルフィッティング構造に関するものである。
【背景技術】
【０００２】
周知のとおり、眼鏡を頭部に固定するためには、眼鏡フロントの側方に配設したテンプルを耳に掛けるのが一般的であるが、最近では、このような耳掛け式ではなく、テンプルの長さを短くして、このテンプルの先端に止着したパッド部材をこめかみ等の側顔部に圧接して固定する、所謂「セミテンプル眼鏡」が知られている（例えば、特許文献１および２参照）。
【０００３】
しかしながら、かかるセミテンプル眼鏡は、テンプルの全長を短くしたに過ぎない単純構造であったため、パッド部材を側顔部にフィットさせる際の位置調節が微妙で困難であり、なかなか着用者の所望する位置に合致させることができなかった。
【０００４】
逆に、パッド部材が最も側顔部にフィットする位置を優先させてそこを基準に無理矢理合わせてしまうと、レンズを保持するフロントの傾斜角度が変わってしまい、正確な矯正視力が得られないという問題もあった。
【０００５】
また、側顔部に固定する際に、テンプルの弾性による付勢力が強すぎると、パッド部材が肌に食い込んで痛みを生ずるし、逆に、付勢力が弱すぎると、保持力が小さくなって、フレームが顔から脱落してしまうため、付勢力の強弱調節は微妙で困難であるという問題があった。
【先行技術文献】
【特許文献】
【０００６】
【特許文献１】特許第３１５６１６１号公報（第３−６頁、第２図）
【特許文献２】実開昭６１−１８８１１９号公報（第１−２頁、第２図）
【発明の概要】
【発明が解決しようとする課題】
【０００７】
本発明は、従来のセミテンプル眼鏡に上記欠点があったことに鑑みて為されたものであり、その目的とするところは、簡素な構造で、着用者にとって装着感および安定性の最も良い位置にパッド部材を合致させることができ、かつ、適度な圧力で側顔部に付勢してフィットさせることができるセミテンプル眼鏡におけるテンプルフィッティング構造を提供することにある。
【課題を解決するための手段】
【０００８】
本発明者が上記課題を解決するために採用した手段を添付図面を参照して説明すれば次のとおりである。
【０００９】
即ち、本発明は、左右一対のレンズＬ・Ｌを保持するフロントＦの側方に配設されたエンドピースＥの持出端部に、先端部分が着用者のこめかみ付近に達する長さのセミテンプルＳＴを配設して、
このセミテンプルＳＴを、前記エンドピースＥに連結される棒状のテンプル基部１と、付勢アーム２とから構成し、
この付勢アーム２を、弾性材料からなる板状部材にして、基端部21から脚部22・22を末広がりに分岐して松葉状に形成する一方、
これらの脚部22・22の先端部23・23を互いに重ね合わせることにより各脚部22がそれぞれ弓形に撓曲して、かつ、この弓形姿勢に保持した状態で重なり合った先端部23にパッド部材３を止着するとともに、
前記付勢アーム２の基端部21を前記テンプル基部１にヒンジ枢支して、当該基端部21を枢軸にして脚部22を上下に揺動可能にして、
前記脚部22・22の弾性復元力によりフロント内側方向に付勢して、着用者の側顔部にホールド可能にするという技術的手段を採用したことによって、セミテンプル眼鏡におけるテンプルフィッティング構造を完成させた。
【００１０】
また、本発明は、上記課題を解決するために、必要に応じて上記手段に加え、付勢アーム２の先端部23にはそれぞれフック部23ａを形成して、これらのフック部23ａを重ね合わせた部分にパッド部材３裏面の凸部に係止するという技術的手段を採用した。
【００１１】
更にまた、本発明は、上記課題を解決するために、必要に応じて上記手段に加え、付勢アーム２の基端部21を、テンプル基部１の内側面においてヒンジ枢支するという技術的手段を採用した。
【００１２】
更にまた、本発明は、上記課題を解決するために、必要に応じて上記手段に加え、付勢アーム２の基端部21にヒンジ孔21ａを設け、このヒンジ孔21ａをテンプル基部１の止着孔11に枢結するという技術的手段を採用した。
【００１３】
更にまた、本発明は、上記課題を解決するために、必要に応じて上記手段に加え、テンプル基部１に付勢アーム２の基端部21をネジ部材により締め付けて、回転抵抗を付与するという技術的手段を採用した。
【００１４】
更にまた、本発明は、上記課題を解決するために、必要に応じて上記手段に加え、付勢アーム２の先端部23と、パッド部材３裏面とを自在継手により止着するという技術的手段を採用した。
【００１５】
更にまた、本発明は、上記課題を解決するために、必要に応じて上記手段に加え、パッド部材３をタック性を有するシリコーン系樹脂で作製するという技術的手段を採用した。
【発明の効果】
【００１６】
本発明においては、左右一対のレンズを保持するフロントの側方に配設されたエンドピースの持出端部に、先端部分が着用者のこめかみ付近に達する長さのセミテンプルを配設して、このセミテンプルを、前記エンドピースに連結される棒状のテンプル基部と、付勢アームとから構成し、この付勢アームを、弾性材料からなる板状部材であって、基端部から脚部が末広がりに分岐して松葉状に形成する一方、これらの脚部の先端部を互いに重ね合わせることにより各脚部がそれぞれ弓形に撓曲して、かつ、この弓形姿勢に保持した状態で重なり合った先端部にパッド部材を止着するとともに、前記付勢アームの基端部を前記テンプル基部にヒンジ枢支して、当該基端部を枢軸にして脚部を上下に揺動可能にすることにより、前記脚部の弾性復元力によりフロント内側方向に付勢して、着用者の側顔部にホールド可能にした。
【００１７】
したがって、本発明のテンプルフィッティング構造は、簡素な構造であり、着用者にとって装着感および安定性の最も良い位置にパッド部材を合致させることができ、かつ、適度な圧力で側顔部に付勢してフィットさせることができることから、非常に使い勝手が良く、眼鏡における実用的利用価値は頗る高いものがある。
【図面の簡単な説明】
【００１８】
【図１】本発明の実施形態のセミテンプル眼鏡を表わす全体斜視図である。
【図２】本発明の実施形態のセミテンプル眼鏡を表わす全体上面図である。
【図３】本発明の実施形態の付勢アームを表わす上面図である。
【図４】本発明の実施形態の付勢アームを撓曲させた状態を表わす上面図である。
【図５】本発明の実施形態の付勢アームを撓曲させた状態を表わす側面図である。
【図６】本発明の実施形態のセミテンプル眼鏡の使用状態を表わす側面図である。
【図７】本発明の実施形態のセミテンプル眼鏡の使用状態を表わす側面図である。
【図８】本発明の実施形態のセミテンプル眼鏡を折り畳んだ状態を表わす正面図である。
【図９】本発明の実施形態のパッド部材の変形例を表わす側面図である。
【発明を実施するための形態】
【００１９】
本発明を実施するための形態を、具体的に図示した図面に基づいて更に詳細に説明すると、次のとおりである。
【００２０】
本発明の実施形態を図１から図７に基づいて説明する。図中、符号１で指示するものはテンプル基部であり、符号２で指示するものは付勢アームであり、また、符号３で指示するものはパッド部材である（図１および図２参照）。
【００２１】
しかして、本発明におけるテンプルフィッティング構造を構成するにあっては、まず、左右一対のレンズＬ・Ｌを保持するフロントＦの側方に配設されたエンドピースＥの持出端部に、先端部分が着用者の側顔部（こめかみ付近）に達する長さのセミテンプルＳＴを配設する。
【００２２】
このセミテンプルＳＴは、前記エンドピースＥに連結される棒状のテンプル基部１と、付勢アーム２とから構成されている。
【００２３】
まず、テンプル基部１は、エンドピースＥに連結される棒状の部材であって、本実施形態では、金属材料を平板状に形成し、また、エンドピースＥには駒部品およびヒンジネジにより枢結されている。
【００２４】
また、付勢アーム２は、弾性材料からなる板状部材であって、基端部21から脚部22・22が末広がりに分岐して松葉状に形成されている（図３参照）。本実施形態では、ニッケル・チタン系超弾性合金などの金属材料により作製した板体（厚さ０．５ｍｍ程度）を型抜きして成形する。
【００２５】
そして、付勢アーム２のこれらの脚部22・22の先端部23・23を互いに重ね合わせることにより各脚部22をそれぞれ弓形に撓曲させる。この際、脚部22は、板状であって、断面が長手形状を呈しているため、可曲方向が定まるので、脚部22・22はそれぞれアーチ形状を描いて、かつ、互いの間隔が中央で最大になり、再び先端で重なり合う（図４および図５参照）。なお、この付勢アーム２が内側に凹状に弯曲するように、予め弓形のクセを付けて（塑性変形させて）おくこともできる。
【００２６】
次いで、この弓形姿勢に保持した状態で重なり合った先端部23にパッド部材３を止着する。このパッド部材３は、タック性を有するシリコーン系樹脂で作製するのが好ましい。
【００２７】
本実施形態では、付勢アーム２の先端部23にそれぞれ外向きコの字形のフック部23ａを形成して、これらのフック部23ａを重ね合わせた部分にパッド部材３裏面の凸部に係止することができる。この際、パッド部材３の裏面の凸部に貫通孔を設けて、この貫通孔にフック部23ａの先端を挿通して係止することもできるし、あるいは、凸部の外周に凹溝を設け、この凹溝に係止することもできる。
【００２８】
然る後、付勢アーム２の基端部21をテンプル基部１にヒンジ枢支して、当該基端部21を枢軸にして脚部22を上下に揺動可能にする。本実施形態では、この付勢アーム２の基端部21を、テンプル基部１の内側面においてヒンジ枢支することができ、このテンプル基部１の先端が干渉することにより付勢アーム２の脚部22・22が外側に反り返ったままになることを防止することができる。
【００２９】
具体的には、付勢アーム２の基端部21にヒンジ孔21ａを設け、このヒンジ孔21ａをテンプル基部１の止着孔11に枢結することができる。
【００３０】
また、この際、テンプル基部１に付勢アーム２の基端部21をネジ部材によって締め付けて、回転抵抗を付与することができる。なお、これらの部材の連結部は、リベットにより固定したり、ノッチ式にして角度を段階的に調節できるようにすることもできる。
【００３１】
以上のように構成したことによって、前記脚部22・22の弾性復元力によりフロント内側方向に付勢して、着用者の側顔部にホールドすることができる。本実施形態では、脚部22・22は付勢されている状態の時が直線に近い形状になるため、側顔部に対する押圧力が強くならないので、着用者に快適な装用感を与えることができる。
【００３２】
そして、図６および図７に示すように、着用者は、付勢アーム２を上下に調節することにより、適宜、最もフィットする位置にパッド部材３を移動させることができる。
【００３３】
更にまた、本発明のセミテンプル眼鏡は、図８に示すように、テンプルを折り畳んだ際にコンパクトに収容することができるとともに、付勢アーム２を上か下に揺動させることによってパッド部材３をレンズ前面から退避させて、接触を防止することができるので、パッド部材に付着した脂分などがレンズに付着せず非常に衛生的である。
【００３４】
更にまた、本発明のセミテンプル眼鏡は、図９に示すように、付勢アーム２の先端部23と、パッド部材３裏面とを自在継手（例えば、図示のようなボールジョイント機構）により止着することができ、首振り機能によりフィッティング性を更に向上させることができる。本実施形態では、パッド側に袋部、取付側に球体が設けられているが、逆でも良い。なお、必要に応じて、鼻パッド部分においても同様の自在継手（例えば、ボールジョイント機構）を採用することができる。
【００３５】
本発明は概ね上記のように構成されるが、図示の実施形態に限定されるものでは決してなく、「特許請求の範囲」の記載内において種々の変更が可能であって、例えば、付勢アーム２の先端部23の形状は、フック状のものに限らず、重なり合うことによってパッド部材３を止着することができる孔部を形成するものであっても良い。また、先端部23同士は溶接や嵌合、接着剤による付着固定も可能である。
【００３６】
また、テンプル基材１の使用材料は金属材料に限らず、樹脂材料やべっ甲などを採用することもでき、これら何れのものも本発明の技術的範囲に属する。
【符号の説明】
【００３７】
１    テンプル基部
11    止着孔
２    付勢アーム
21    基端部
21ａ  ヒンジ孔
22    脚部
23    先端部
23ａ  フック部
３    パッド部材
ＳＴ  セミテンプル
Ｌ    レンズ
Ｆ    フロント
Ｅ    エンドピース
【図１】
2010181446.tif 000003
【図２】
2010181446.tif 000004
【図３】
2010181446.tif 000005
【図４】
2010181446.tif 000006
【図５】
2010181446.tif 000007
【図６】
2010181446.tif 000008
【図７】
2010181446.tif 000009
【図８】
2010181446.tif 000010
【図９】
2010181446.tif 000011